(57)【要約】【課題】オプションにプリンタ本体を重ねたとき、プリンタ本体の落下の危険を回避するため、両方の筐体を同時に持ち上げることができないようにする。【解決手段】プリンタ１００は、設定面Ｇに載置される脚１０４と指を掛ける指掛け部である底部１０２ａとを有するオプション１０２と、オプション上に載置されるプリンタ本体１０１と、を備え、オプションからの脚の突出量が、オプションにプリンタ本体を載置していないとき設定面Ｇと指掛け部との間に指が入る隙間Ｈ２が生じるだけの突出量に変化し、オプションにプリンタ本体を載置したとき設定面Ｇと指掛け部である底部１０２ａとの間に指を入れることのできない突出量に変化するようになっている。【選択図】　　　図２
2004082615.tif 000002
【特許請求の範囲】
【請求項１】
設置面に載置される載置部と指を掛ける指掛け部とを有する下部筐体と、
前記下部筐体上に載置される上部筐体と、を備え、
前記下部筐体からの前記載置部の突出量が、前記下部筐体に前記上部筐体を載置していないとき前記設置面と前記指掛け部との間に指が入る隙間が生じるだけの突出量に変化し、前記下部筐体に前記上部筐体を載置したとき前記設置面と前記指掛け部との間に指を入れることのできない突出量に変化することを特徴とする重合持ち上げできない筐体ユニット。
【請求項２】
前記載置部は、付勢手段によって前記下部筐体から突出するように前記下部筐体に設けられて、前記下部筐体に前記上部筐体を載置したとき前記付勢手段に抗して前記上部筐体内に進入することを特徴とする請求項１に記載の重合持ち上げできない筐体ユニット。
【請求項３】
前記載置部と前記下部筐体との間には、前記載置部が前記下部筐体から抜け出るのを防止する抜け止め機構を設けてあることを特徴とする請求項２に記載の重合持ち上げできない筐体ユニット。
【請求項４】
前記載置部は、弾性部材で形成されて、前記下部筐体に前記上部筐体を載置していないとき前記設置面と前記指掛け部との間に指が入る隙間が生じるだけの突出量に変形し、前記下部筐体に前記上部筐体を載置したとき前記設置面と前記指掛け部との間に指を入れることのできない突出量に変形することを特徴とする請求項１に記載の重合持ち上げできない筐体ユニット。
【請求項５】
前記載置部が、前記設置面と前記指掛け部との間に指を入れることのできない突出量に変形したとき、前記下部筐体を前記設置面に支持する支持部を前記下部筐体に設けたことを特徴とする請求項４に記載の重合持ち上げできない筐体ユニット。
【請求項６】
前記指掛け部が、前記設置面に対向する前記下部筐体の底部であることを特徴とする請求項１，４，５のいずれか１項に記載の重合持ち上げできない筐体ユニット。
【請求項７】
前記下部筐体は、前記下部筐体単体のとき指が入り、前記下部筐体に前記上部筐体が載置されたとき、指が入らない補助指掛け部を有していることを特徴とする請求項１乃至６のいずれか１項に記載の重合持ち上げできない筐体ユニット。
【請求項８】
設置面に載置される載置部と指を掛ける指掛け部とを有する下部筐体と、
前記下部筐体上に載置される上部筐体と、
前記下部筐体に前記上部筐体を載置していないとき前記指掛け部に指を掛けることができるように前記指掛け部を開放し、前記下部筐体に前記上部筐体を載置したとき前記指掛け部に指を掛けることができないように前記指掛け部を閉鎖する指掛け部開閉手段と、
を備えたことを特徴とする重合持ち上げできない筐体ユニット。
【請求項９】
前記指掛け部開閉手段は、
前記指掛け部を開閉する開閉体と、
前記下部筐体に前記上部筐体を載置したとき前記指掛け部を閉鎖する方向に前記開閉体を作動させる作動体と、
前記指掛け部を開放する方向に前記開閉体に付勢力を加える付勢手段と、
を有していることを特徴とする請求項８に記載の重合持ち上げできない筐体ユニット。
【請求項１０】
前記開閉体と前記作動体は、上下動可能に前記下部筐体に設けてあることを特徴とする請求項８に記載の重合持ち上げできない筐体ユニット。
【請求項１１】
前記開閉体は左右動可能に、前記作動体は上下動可能に前記下部筐体に設けてあることを特徴とする請求項８に記載の重合持ち上げできない筐体ユニット。
【請求項１２】
前記開閉体は係合可能に、前記作動体は上下動可能に前記下部筐体に設けてあることを特徴とする請求項８に記載の重合持ち上げできない筐体ユニット。
【請求項１３】
前記指掛け部が、前記下部筐体に設けた取っ手であることを特徴とする請求項１，４，５，８，９のいずれか１項に記載の重合持ち上げできない筐体ユニット。
【請求項１４】
前記上部筐体は、取っ手を有していることを特徴とする請求項１，２，４，７，８，９のいずれか１項に記載の重合持ち上げできない筐体ユニット。
【請求項１５】
下部筐体上に上部筐体が載置されて形成された筐体ユニットを備え、
前記筐体ユニットが請求項１乃至１４のいずれか１項に記載の重合持ち上げできない筐体ユニットであり、
前記上部筐体と前記下部筐体とのいずれか一方が装置本体であり、他方が装置本体の機能を補助するオプションであることを特徴とする電子機器。
【請求項１６】
下部筐体上に上部筐体が載置されて形成された筐体ユニットと、
前記上部筐体に設けられてシートに画像を形成する画像形成手段と、
前記下部筐体に設けられて補助シートが積載される補助シート積載手段と、
前記筐体ユニットが請求項１乃至１４のいずれか１項に記載の重合持ち上げできない筐体ユニットであることを特徴とする画像形成装置。
【発明の詳細な説明】
【０００１】
【発明の属する技術分野】
本発明は、筐体ユニット、特に、下部筐体に上部筐体を重ねた状態で持ち上げることのできない筐体ユニットと、電子機器、特に、上記筐体ユニットの上部筐体と下部筐体との一方を電子機器の筐体にし、他方を電子機器の機能を拡張する拡張機構部の筐体とした電子機器と、この電子機器の一例である画像形成装置、特に、上記筐体ユニットの上部筐体を画像形成装置の装置本体にし、下部筐体を前記画像形成装置の機構を拡張する拡張機構部の筐体とした画像形成装置とに関する。
【０００２】
【従来の技術】
従来、設置面に載置される載置部と指を掛ける指掛け部とを有する下部筐体に上部筐体を重ねた筐体ユニットがある。この筐体ユニットを本体とする電子機器がある。電子機器は、その機能を拡張するため、上部筐体に相当する電子機器本体の下方向に下部筐体に相当するオプションを順次連結したものが知られている。
【０００３】
そのような電子機器には、画像形成装置や画像読取装置等がある。電子機器の一例である画像形成装置は、シートに画像を形成するようになっている。画像形成装置には、プリンタ、複写機、ファクシミリ、及びこれらの複合機等がある。
【０００４】
図１０、図１１は、画像形成装置の一例であるプリンタを示す。
【０００５】
図１０は、下部筐体に相当するオプション２に上部筐体に相当するプリンタ本体１を搭載したプリンタ１０の外観斜視図である。また、図１１は、図１０の断面図である。図１１は、プリンタ１０において、シートに画像を形成する画像形成部を省略して、シートを画像形成部に供給する給送部を示した図である。
【０００６】
プリンタ本体１の主な機能は、記録媒体Ｐ（紙やＯＨＰシート等）に指定した画像を形成することである。プリンタ本体１には、記録媒体Ｐを積載されるカセット１ｃを備えている。プリンタ本体１は、給送部１２としてのピックアップローラ１４、及び分離部１５によって、あらかじめ積載された記録媒体Ｐを１枚ずつ給送して、プリンタ本体１内の不図示の画像形成部によって指定画像を形成するようになっている。
【０００７】
オプション２は、給送部１２と同様な構成になっている。プリンタ本体１の給送部１２と同様な給送部１２で、プリンタ本体１内の不図示の画像形成部に記録媒体Ｐを送り込むことができるようになっている。すなわち、オプション２は、プリンタ本体１の給送部１２の機能を拡張するようになっており、連結したオプションの分だけ大容量、または多種類の記録媒体Ｐをプリンタ本体１に供給することができるようになっている。
【０００８】
このように、プリンタ１０は、プリンタ本体１のカセット１ｃと、オプション２のカセット２ｃとのいずれか一方を選択すると、選択したカセットの記録媒体を給送することができるようになっている。オプション２もカセット２ｃと備えている。
【０００９】
次に、以上のようなプリンタ１０の設置、運搬について説明する。
【００１０】
図１０に示すように、プリンタ１０のオプション２とプリンタ本体１とを重ねて設置面Ｇに設置するとき、操作者は、まず、オプション２の外装側面に設けた取っ手２ａと反対側の外装側面に設けた不図示の取っ手とに指を掛けて、オプション２を持ち上げて、所定の位置に置く。このとき、設置面Ｇと取っ手２ａとの間には充分な隙間が生じているので、オプション２と設置面Ｇとの間に指を挟むことはない。
【００１１】
次に、プリンタ本体１の取っ手１ａと反対側の外装側面に設けた不図示の取っ手とに指を掛けてプリンタ本体１を持ち上げて、オプション２の上に搭載する。このとき、オプション２の上面とプリンタ本体１の取っ手１ａとの間には充分なスペースを設けてあるので、オプション２とプリンタ本体１との間で指を挟むことはない。
【００１２】
また、すでに重ねて設置されたプリンタ本体１とオプション２とを運搬するには、操作者は、まず、プリンタ本体１の取っ手１ａと反対側の外装側面に設けた不図示の取っ手とに指を掛けて持ち上げて、一時的に別の場所へ退避させておく。次に、操作者は、オプション２の取っ手２ａと反対側の外装側面に設けた不図示の取っ手とに指を掛けて持ち上げて、オプション２を所定の位置に移動して設置する。その後、操作者は、オプション２にプリンタ本体１を搭載する。
【００１３】
以上説明したように、従来のプリンタ１０は、オプション２の外装に取っ手を設けてあるので、操作者がオプションの取っ手２ｃに指を掛けて、プリンタ本体１とオプション２とを同時に運搬することができるようになっている。
【００１４】
【発明が解決しようとする課題】
しかし、従来のプリンタは、プリンタ本体１の重量が重く、プリンタ本体とオプションとを同時に運搬するのが危険な状態であっても、運搬することができるため、運搬中に、操作者がプリンタ本体１を落下して損傷したり、操作者自身がけがをしたりする危険性があった。
【００１５】
このような危険性は、複写機、ファクシミリ等においても、さらには、筐体ユニットにおいてもあった。
【００１６】
本発明は、下部筐体に上部筐体を重ねたとき、上部筐体の落下の危険を回避するため、両方の筐体を同時に持ち上げることができないようにした筐体ユニットを提供することを目的としている。
【００１７】
本発明は、この筐体ユニットを本体とする電子機器を提供することを目的としている。
【００１８】
本発明は、オプションに装置本体を搭載した状態でオプションと装置本体とを同時に持ち上げることができないようにすることによって、必然的に換作者に装置本体とオプションとを別々に持ち運ぶように仕向け、かつオプション単体では持ち運びやすいようにすることによって、装置本体の損傷や操作者のけがを未然に防止した画像形成装置を提供することを目的としている。
【００１９】
【課題を解決するための手段】
上記目的を達成するため、本発明の筐体ユニットは、設置面に載置される載置部と指を掛ける指掛け部とを有する下部筐体と、前記下部筐体上に載置される上部筐体と、を備え、前記下部筐体からの前記載置部の突出量が、前記下部筐体に前記上部筐体を載置していないとき前記設置面と前記指掛け部との間に指が入る隙間が生じるだけの突出量に変化し、前記下部筐体に前記上部筐体を載置したとき前記設置面と前記指掛け部との間に指を入れることのできない突出量に変化するようになっている。
【００２０】
本発明の筐体ユニットにおける、前記載置部は、付勢手段によって前記下部筐体から突出するように前記下部筐体に設けられて、前記下部筐体に前記上部筐体を載置したとき前記付勢手段に抗して前記上部筐体内に進入するようになっている。
【００２１】
本発明の筐体ユニットにおける、前記載置部と前記下部筐体との間には、前記載置部が前記下部筐体から抜け出るのを防止する抜け止め機構を設けてある。
【００２２】
本発明の筐体ユニットにおける、前記載置部は、弾性部材で形成されて、前記下部筐体に前記上部筐体を載置していないとき前記設置面と前記指掛け部との間に指が入る隙間が生じるだけの突出量に変形し、前記下部筐体に前記上部筐体を載置したとき前記設置面と前記指掛け部との間に指を入れることのできない突出量に変形するようになっている。
【００２３】
本発明の筐体ユニットは、前記載置部が、前記設置面と前記指掛け部との間に指を入れることのできない突出量に変形したとき、前記下部筐体を前記設置面に支持する支持部を前記下部筐体に設けてある。
【００２４】
本発明の筐体ユニットは、前記指掛け部が、前記設置面に対向する前記下部筐体の底部である。
【００２５】
本発明の筐体ユニットにおける、前記下部筐体は、前記下部筐体単体のとき指が入り、前記下部筐体に前記上部筐体が載置されたとき、指が入らない補助指掛け部を有している。
【００２６】
上記目的を達成するため、本発明の筐体ユニットは、設置面に載置される載置部と指を掛ける指掛け部とを有する下部筐体と、前記下部筐体上に載置される上部筐体と、前記下部筐体に前記上部筐体を載置していないとき前記指掛け部に指を掛けることができるように前記指掛け部を開放し、前記下部筐体に前記上部筐体を載置したとき前記指掛け部に指を掛けることができないように前記指掛け部を閉鎖する指掛け部開閉手段と、を備えている。
【００２７】
本発明の筐体ユニットにおける、前記指掛け部開閉手段は、前記指掛け部を開閉する開閉体と、前記下部筐体に前記上部筐体を載置したとき前記指掛け部を閉鎖する方向に前記開閉体を作動させる作動体と、前記指掛け部を開放する方向に前記開閉体に付勢力を加える付勢手段と、を有している。
【００２８】
本発明の筐体ユニットにおける、前記開閉体と前記作動体は、上下動可能に前記下部筐体に設けてある。
【００２９】
本発明の筐体ユニットにおける、前記開閉体は左右動可能に、前記作動体は上下動可能に前記下部筐体に設けてある。
【００３０】
本発明の筐体ユニットにおける、前記開閉体は係合可能に、前記作動体は上下動可能に前記下部筐体に設けてある。
【００３１】
本発明の筐体ユニットにおける、前記指掛け部が、前記下部筐体に設けた取っ手である。
【００３２】
本発明の筐体ユニットにおける、前記上部筐体は、取っ手を有している。
【００３３】
上記目的を達成するため、本発明の電子機器は、下部筐体上に上部筐体が載置されて形成された筐体ユニットを備え、前記筐体ユニットが上記いずれか１つの筐体ユニットであり、前記上部筐体と前記下部筐体とのいずれか一方が装置本体であり、他方が装置本体の機能を補助するオプションである。
【００３４】
上記目的を達成するため、本発明の画像形成装置は、下部筐体上に上部筐体が載置されて形成された筐体ユニットと、前記上部筐体に設けられてシートに画像を形成する画像形成手段と、前記下部筐体に設けられて補助シートが積載される補助シート積載手段と、前記筐体ユニットが上記いずれか１つの筐体ユニットである。
【００３５】
【発明の実施の形態】
本発明の実施形態の筐体ユニットを筐体とする電子機器である例えば画像形成装置の一例であるプリンタを図に基づいて説明する。
【００３６】
電子機器には、画像形成装置の他に、例えば、画像読取装置がある。したがって、電子機器は、画像形成装置に限定されるものではない。
【００３７】
画像形成装置は、シートに画像を形成するようになっている。画像形成装置には、プリンタ、複写機、ファクシミリ、及びこれらの複合機等がある。本発明の実施形態の画像形成装置は、プリンタを例にして説明するが、プリンタに限定されるものではない。
【００３８】
シートには、普通紙、この普通紙の代用品である樹脂製の薄いもの、厚紙、はがき、封書、オーバヘッドプロジェクタ用の用紙等がある。
【００３９】
なお、第１乃至第５実施形態のプリンタにおける、筐体ユニットの上部筐体である例えばプリンタ本体と下部筐体である例えばオプションの内部構造は、ほとんど同じである。したがって、第１実施形態のプリンタの内部説明のみ行い、第２乃至第５実施形態のプリンタの内部説明は省略し、異なる部分を主体に説明する。また、各実施形態のプリンタは、プリンタ本体の下部にオプションを１つ備えているが、複数段備えていてもよい。
【００４０】
また、第１乃至第５実施形態のプリンタにおける、オプションの高さを高くして、そのオプション内に、プリンタ本体内の画像形成に関する各機構を設けて、プリンタ本体を原稿自動供給装置に置き換えて、原稿を読み取って原稿の情報を複写するようにしても良い。したがって、プリンタ本体内には、画像形成に関する各機構を設けることに限定されるものではない。
【００４１】
（第１実施形態のプリンタ）
第１実施形態のプリンタを図１乃至図５に基づいて説明する。
【００４２】
図１は、プリンタのシート搬送方向に沿った断面図である。
【００４３】
プリンタ１００は、上部筐体である例えばプリンタ本体１０１と、プリンタ本体１０１の下方に順次連結される下部筐体である例えばオプション１０２とで構成されている。
【００４４】
外部からの画像情報を受けたレーザビームスキャナ１５５は、その画像情報を感光体ドラム１５６上に静電潜像として形成する。感光体ドラム１５６の表面は、静電潜像が形成される前、あらかじめ一次帯電器１５７によって、一様に帯電してある。感光体ドラム１５６の静電潜像は、現像器１５８によって、現像剤であるトナーによって現像される。なお、感光体ドラム１５６、一次帯電器１５７、現像器１５８等は、画像形成部１５９を構成している。画像形成部１５９は、画像形成手段の一例である。
【００４５】
一方、シート供給ローラ１６１は、シート供給カセット１６２内の中板１６３に積載してあるシートＰをシート供給カセット１６２から搬送ローラ対１６８に送り出す。このとき、搬送ローラ対１６８は、分離板１６４と協働して、シートを１枚ずつ送り出す。
【００４６】
搬送ローラ対１６８は、シートＰをレジストローラ対１６９に送り込む。レジストローラ対１６９は、回転を停止している状態でシートＰの先端を受け止めて、シートＰに撓みを形成させ、シートＰの斜行を真っ直ぐに修正して、シートＰの斜行取りを行う。その後、レジストローラ対１６９は、感光体ドラム１５６上のトナー像に合わせて、シートＰを感光体ドラム１５６と転写器１７０との間に送り込む。転写器１７０は、感光体ドラム１５６のトナー像をシートＰに転写する。
【００４７】
搬送ベルト１７１は、トナー像を転写されたシートＰを搬送して、定着器１７２に送り込む。定着器１７２は、シートＰを過熱加圧して、シートにトナー像を定着して、そのシートを排出トレイ１７３に排出する。一方、感光体ドラム１５６に残ったトナーは、クリーナ１７４によって除去される。
【００４８】
シートの両面に画像を形成する場合、シートは、反転搬送路１６５に送り込まれてスイッチバック搬送されている最中に表裏反転されて、画像形成部１５９に再度送り込まれて反対側の面にも画像が形成され、排出トレイ１７３に排出される。
【００４９】
オプション１０２は、プリンタ本体１０１の機能を拡張するためにプリンタ本体の下に重ねられるようになっている。オプション１０２は、プリンタ本体１０１に補助シートを補給するようになっている。オプション１０２内には、プリンタ本体１０１と同様な、中板１８３を備えた補助シート積載手段である例えばシート供給カセット１８２、シート供給ローラ１８１、分離板１８４、シート補助補給路１６７等を備えている。オプション１０２から供給された補助シートは、プリンタ本体１０１内に設けたシート補助補給路１６６に案内されて、搬送ローラ対１６８によって搬送されるようになっている。シート補助補給路１６７は、このオプション１０２の下にさらにオプションを重ねたとき、そのオプションから供給されるシートをプリンタ本体に案内するようになっている。
【００５０】
プリンタ本体１０１の上部には、現像器１５８のトナー補給時や、プリンタ本体内のメンテナンス時にプリンタ本体を開閉するための開閉蓋１７５を設けてある。
【００５１】
図２（ａ）は、オプション１０２にプリンタ本体１０１を載置した状態のプリンタ１００において、本実施形態に関係する要部のみを断面で示した図である。図２（ｂ）は、オプション１０２の要部のみを断面で示した図である。
【００５２】
本実施形態は、オプション１０２にプリンタ本体１０１を搭載するか否かで、図２（ａ）、（ｂ）に示すように設置面Ｇとオプション１０２との間の隙間Ｈ１，Ｈ２が変化することを特徴としている。このため、以下、オプション１０２の設置に関する構成を中心に説明する。
【００５３】
オプション１０２の上部には、プリンタ本体１０１を前後左右方向に位置決めするボス１０６ａ，１０６ｂを突設してある。プリンタ本体１０１は、ボス１０６ａ，１０６ｂによって、オプション１０２に所定の位置に搭載されるようになっている。プリンタ本体１０１には、プリンタ本体１０１を操作者が運搬しやすいように外装部に取っ手１０１ａ，１０１ｂを設けてある。しかし、オプション１０２には取っ手を設けていないが、指掛け部である例えば底部１０２ａが取っ手の代わりになっている。
【００５４】
オプション１０２の底部１０２ａには、オプション１０２を設置面Ｇに置いたとき受け面となる載置部である例えば脚１０４とこれを保持する脚保持枠１０３とを複数組（少なくとも３組）設けてある。脚保持枠１０３の上部には、弾性部材１０５を受け入れるばね受け入れ部１０３ａを形成してある。脚１０４は、脚保持枠１０３内に上下動自在に設けてある。脚１０４は、弾性部材１０５によって突出する方向に付勢されている。脚１０４は、底部１０２ａの突き当て面１０７に、脚１０４の上部に設けた抜け止め鍔１０８の抜け止め面１０８ａが当接して、オプション１０２からの突出長さが規制されている。また、脚１０４は、弾性部材１０５に抗して脚保持枠１０３内に押し込まれると、抜け止め鍔１０８の突き当て面１０８ｂが脚保持枠１０３により受け止められて、引っ込み量が規制されている。
【００５５】
なお、突き当て面１０７と抜け止め鍔１０８は、脚１０４が脚保持枠１０３から抜け出ないように抜け止め機構１１２を構成している。また、付勢手段である例えば弾性部材１０５には、例えば、ゴム、ばね等がある。
【００５６】
弾性部材１０５は、受ける荷重が小さいとほとんど変形しない。このため、脚１０４は、脚１０４に設けた抜け止め鍔１０８の抜け止め面１０８ａが突き当て面１０７に突き当たり、オプション１０２から最も突出している。しかし、弾性部材１０５は、受ける荷重がある程度大きくなると弾性変形して縮まる。このため、脚１０４は、脚１０４に設けた抜け止め鍔１０８の突き当て面１０８ｂが脚保持部材１０３に突き当たり、突出長さが最も短くなる。このとき、弾性部材１０５は、受け入れ部１０３ａに収納される。
【００５７】
弾性部材１０５の付勢力と脚１０４の突出長さとの関係は以下のように設定してある。
【００５８】
（弾性部材１０５の付勢力）
プリンタ本体１０１の重量をＷ１、オプション１０２単体の重量をＷ２、図２における複数の弾性部材１０５の付勢力の合計をＷ３とすると、
Ｗ１＜Ｗ３＜（Ｗ１＋Ｗ２）
となるようにＷ３を設定してある。
【００５９】
（脚１０４の突出長さ）
脚１０４が最も突出したとき、すなわち、図２（ｂ）に示すように、オプションが単体のときは、オプション１０２と設置面Ｇとの間に少なくとも指が入るだけの隙間Ｈ２を確保するように脚１０４の突出長さを設定してある。逆に、脚１０４の突出長さが最も短くなるとき、すなわち、図２（ａ）に示すように、オプション１０２にプリンタ本体１０１を搭載したとき、オプション１０２と設置面Ｇとの間の隙間Ｈ１に指が入らないように突出長さを設定してある。
【００６０】
以上のように、弾性部材１０５の付勢力と脚１０４の突出長さとの関係を設定することによって、オプション単体の運搬、設置、プリンタ本体の運搬、設置等において、以下のような効果が生じる。
【００６１】
（オプション単体の運搬、設置）
以下、図３（ｂ）に基づいて説明する。図２（ｂ）は、図３（ｂ）の断面図である。
【００６２】
オプション１０２にプリンタ本体１０１を載置していないとき、オプション１０２の重量Ｗ１と弾性部材１０５の付勢力の合計Ｗ３との関係を、
Ｗ１＜Ｗ３
に設定してあるので、弾性部材１０５は変形しない。このため、オプション１０２に設けた脚１０４の突出長さは最大であり、オプション１０２と設置面Ｇとの間には、少なくとも指Ｆａ，Ｆｂが入るだけの隙間Ｈ２が生じている。
【００６３】
したがって、本実施形態のプリンタは、オプション１０２を運搬するときに、操作者が容易に持ち上げることができる。また、設置するとき、オプション１０２と設置面Ｇとの間で指Ｆａ，Ｆｂを挟む危険もなく安全である。
【００６４】
（プリンタ本体の運搬、設置）
以下、図３（ａ）に基づいて、プリンタ本体の運搬、設置について、説明する。図２（ａ）は、図３（ａ）の断面図である。
【００６５】
オプション１０２にプリンタ本体１０１を搭載したとき、オプション１０２の重量Ｗ１、プリンタ本体１０１の重量Ｗ２、付勢力の合計Ｗ３の関係を
Ｗ３＜（Ｗ１＋Ｗ２）
に設定してあるので、弾性部材１０５は弾性変形する。このため、オプション１０２に設けた脚１０４の突出長さは最小になる。この場合、オプション１０２には取っ手を設けていないため設置面Ｇとオプション１０２との間には、指Ｆａ，Ｆｂが入らない。
【００６６】
したがって、本実施形態のプリンタは、オプション１０２にプリンタ本体１０１が搭載された状態で操作者がオプション１０２を持ち上げて運搬することがない。操作者は、必然的に、まず、プリンタ本体１０１に設けた取っ手１０１ａ，１ｂに指Ｆｃ，Ｆｄを掛けてプリンタ本体１０１だけを運搬し、次に、オプション１０２単体を運搬することになる。このように、操作者は、プリンタ本体１０１とオプション１０２とを別々に運搬することは、同時に運搬するときよりも、運搬時の重量が軽いため、操作者にとって持ち運びやすくなる。また、プリンタ本体１０１の落下等の危険も回避できるため安全である。
【００６７】
特に、オプション１０２とプリンタ本体１０１の重量の合計（＝Ｗ１＋Ｗ２）が大きく、プリンタ本体１０１とオプション１０２を同時に運搬することが危険である場合に非常に有効である。
【００６８】
（外観）
オプション１０２にプリンタ本体１０１を搭載すると、オプション１０２に設けた脚１０４の突出長さが最小になる。このため、プリンタ１００の設置高さが必要以上に高くなることがない。また、複数のオプションが順次連結される場合、各オプション間の隙間を狭くすることができて、プリンタ１００の外観を良くして見栄えを良くすることができる。
【００６９】
本実施形態のプリンタ１００は、オプション１０２に取っ手を設けていないが、オプションに取っ手を設けたとしても、プリンタ本体１０２に設けた取っ手１０１ａよりも幅、高さ、奥行きのいずれか１つの寸法が小さい取っ手であれば問題ない。
【００７０】
例えば、オプション１０２は、操作者１人で運搬できるが、プリンタ本体１０１が重く、プリンタ本体１０１を運搬するのに複数の操作者が必要な場合、図４に示すように、プリンタ本体１０１には、複数の操作者の指が掛かるように大きな取っ手１０１ａを複数設けて、オプション１０２には操作者１人の手が掛かるだけの小さな取っ手１０２ａしか設けない。このようにすると、操作者は、オプション１０２に設けた補助指掛け部である例えば小さな取っ手１０２ｂが、プリンタ本体１０１とオプション１０２を同時に運搬するためのものでないことを認識して、必然的に、まず、プリンタ本体１０１から運搬することになり、取っ手を設けないときと同様の効果を得られる。
【００７１】
（第２実施形態のプリンタ）
第２実施形態のプリンタを図５（ａ），（ｂ）に基づいて説明する。
【００７２】
図５（ａ）は、下部筐体である例えばオプション２０２に上部筐体である例えばプリンタ本体２０１を搭載したときの本実施形態のプリンタ２００の正面図である。図５（ｂ）は、本実施形態のプリンタ２００のオプション２０２単体の正面図を示す。プリンタ本体２０１の構成は第１実施形態のプリンタ本体１０１とほぼ同じであり、取っ手２０１ａ，２０１ｂを形成してある。
【００７３】
本実施形態のオプション２０２は、第１実施形態のオプション１０２とは、脚の構成が異なっており、かつ支持部である例えば突き当て突部２１１を新たに備えたことにおいて異なっている。
【００７４】
オプション２０２の指掛け部である例えば底部２０２ａには、少なくとも３個以上の弾性を備えた載置部である例えば脚２１０を突設してある。脚２１０は設置部材であるとともに弾性部材である。また、オプション２０２の底部２０２ａには、脚２１０とは別に複数の突き当て突部２１１を下向きに突設してある。この突き当て突部２１１は、脚２１０が弾性変形したときに設置面Ｇに突き当たって、脚２１０とともに、オプション２０２を支持するようになっている。なお、突き当て突部２１１は、必ずしも必要としない。脚２１０には、ゴム、上下方向に伸縮するコイルばね、上下方向に撓む板ばね等の部材が使用される。
【００７５】
実際には、オプション２０２単体のときは、脚２１０の突出長さは最大である。プリンタ本体２０１をオプション２０２に載置したときには、脚２１０が弾性変形して、突き当て部２１１が設置面Ｇに突き当たるようになっている。
【００７６】
つまり、プリンタ本体２０１の重量をＷ１、オプション２０２単体の重量をＷ２、図５（ａ）、（ｂ）における複数の脚２１０の弾性力の合計をＷ４とすると、
Ｗ１＜Ｗ４＜（Ｗ１＋Ｗ２）
となるようにＷ４を設定してある。
【００７７】
以上のような構成であっても、本実施形態のプリンタ２００は、オプション２０２単体のときは、オプション２０２と設置面Ｇとの間に少なくとも指が入るだけの隙間Ｈ２を確保することができる。また、オプション２０２にプリンタ本体２０１を搭載したとき、オプション２０２と設置面Ｇとの間の隙間Ｈ１が狭くなり、指が入らないようにすることができる。
【００７８】
本実施形態のプリンタ２００においても、第１実施形態のプリンタ１００と同様に、プリンタ本体２０１に設けた取っ手２０１ａよりも幅、高さ、奥行きのいずれか１つの寸法が小さい取っ手をオプション２０２に設けてもよい。
【００７９】
第２実施形態のプリンタ２００も、オプション単体の搬送、設置、プリンタ本体の運搬、設置、および外観の点において、第１実施形態のプリンタ１００と同様な効果が得られる。さらに、第２実施形態のプリンタ２００は第１実施形態のプリンタ１００よりも構造が簡単である。
【００８０】
（第３実施形態のプリンタ）
第３実施形態のプリンタを図６、図７に基づいて説明する。
【００８１】
図６（ａ）は、下部筐体である例えばオプション３０２に上部筐体である例えばプリンタ本体３０１を載置したときの本実施形態のプリンタ３００の斜視図である。図６（ｂ）は、オプション３０２の斜視図である。図７（ａ）は、オプション３０２にプリンタ本体３０１を載置した状態のプリンタ３００において、本実施形態に関係する要部のみを断面で示した図である。図７（ｂ）は、オプション３０２の要部のみを断面で示した図である。プリンタ本体３０１の構成は第１実施形態のプリンタ本体１０１とほぼ同じであり、取っ手３０１ａ，３０１ｂを形成してある。
【００８２】
本実施形態のプリンタ３００は、プリンタ本体３０１をオプション３０２に載置してあるか否かによって、遮蔽部材３０６の位置が変化することを特徴とするので、遮蔽部材３０６についてと、プリンタの設置、運搬等における効果とを説明する。
【００８３】
（スライド部材３０４、遮蔽部材３０６等の構成と動作）
オプション３０２の上部には、図６（ｂ）に示すようにプリンタ本体３０１とオプション３０２との相対位置を決める位置決め突起３０３ａ，３０３ｂを突設してある。さらに、オプション３０２の上部には、Ｘ字状に盛り上がった補強リブ３０８と、プリンタ本体３０１にシートを供給するシート排出口３０９とを形成してある。
【００８４】
スライド部材３０４は、オプション３０２の上面に形成した孔３０２ｈに嵌合して、オプション３０２に対して上下方向に移動自在に設けてある。遮蔽部材３０６は、外装内壁３０２ｅとオプション３０２内に設けた壁３０２ｆとの間で上下方向に移動自在に取り付けてあり、スライド部材３０４の片側端部に固定されている。つまり、スライド部材３０４と遮蔽部材３０６は一体に上下動するようになっている。
【００８５】
スライド部材３０４と遮蔽部材３０６は、フック３０４ａとフック３０７とに張り渡した引っ張りばね３０５により、常に上方向に牽引されている。フック３０４ａは、スライド部材３０４の中間に横向きに突設した中間突片３０４ｂ上に上向きに突設してある。フック３０７はオプション３０２に下向きに突設してある。なお、引っ張りばね３０５の代わりに、中間突片３０４ｂと後述するリブ３０２ｄとの間に不図示の圧縮コイルばねを介在させて、スライド部材３０４と遮蔽部材３０６とを、常時、押し上げるようにしてもよい。さらに、引っ張りばね、圧縮ばねの代わりにゴムを使用してもよい。
【００８６】
オプション３０２にプリンタ本体３０１が搭載されていないとき、スライド部材３０４と遮蔽部材３０６は、図７（ｂ）に示すように、引っ張りばね３０５に牽引されて、遮蔽部材上面３０６ａがオプション３０２内で横に突出したリブ３０２ｄに当接した位置で静止して、取っ手３０２ａ，３０２ｂが開放されて表れる。このため、遮蔽部材３０６と設置面Ｇの間に指Ｆａ，Ｆｂが入るスペースを確保される。取っ手３０２ａ，３０２ｂは、遮蔽部材３０６の遮蔽部材下面３０６ｂと壁３０２ｆとで形成されている。
【００８７】
一方、プリンタ本体３０１をオプション３０２に搭載すると、図７（ａ）に示すように、プリンタ本体３０１の下面によって、スライド部材３０４が引っ張りばね３０５に抗して押し下げられるとともに、遮蔽部材３０６も押し下げられる。このとき、遮蔽部材３０６と設置面Ｇの間には指Ｆａ，Ｆｂが入るスペースが無くなる。すなわち、取っ手３０２ａ，３０２ｂが遮蔽（閉鎖）される。
【００８８】
以上の構成において、作動体である例えばスライド部材３０４、開閉体である例えば遮蔽部材３０６、付勢手段である例えば引っ張りばね３０５等は、指掛け部である例えば取っ手３０２ａ，３０２ｂを開閉する取っ手開閉機構３２０を構成している。取っ手開閉機構３２０は、指掛け部開閉手段の一例である。
【００８９】
また、リブ３０２ｄ、外装内壁３０２ｅ、オプション内部に設けた壁３０２ｆ、孔３０２ｈ、スライド部材３０４、フック３０４ａ、引っ張りばね３０５、遮蔽部材３０６、フック３０７等は、それぞれ２つ設けてある。
【００９０】
以上のように、遮蔽部材３０６によって取っ手３０２ａ，３０２ｂを開閉することによって、オプション単体の運搬、設置、プリンタ本体の運搬、設置等において、以下のような効果が生じる。
【００９１】
（オプション単体の運搬、設置）
以下、図７（ｂ）に基づいて説明する。オプション３０２にプリンタ本体３０１を載置していないオプション３０２単体のとき、遮蔽部材３０６が上昇して取っ手３０２ａ，３０２ｂが開放されて表れ、遮蔽部材３０６と設置面Ｇの間に指Ｆａ，Ｆｂが入るスペースが確保されるので、操作者は、遮蔽部材３０６の下部に指Ｆａ，Ｆｂを掛けることができて、オプション３０２を持ち上げて運搬する作業が容易であるだけでなく、設置面Ｇに設置するときに、オプション３０２と設置面Ｇの間で指Ｆａ，Ｆｂを挟む危険性もなく安全である。
【００９２】
（プリンタ本体の運搬、設置）
以下、図７に基づいて説明する。
【００９３】
オプション３０２にプリンタ本体３０１を載置したとき、遮蔽部材３０６と設置面Ｇとの間に指Ｆａ，Ｆｂが入るスペースがない。したがって、プリンタ本体３０１がオプション３０２に搭載された状態で、操作者は、オプション３０２を持ち上げて運搬することができない。必然的に、操作者は、まず、プリンタ本体３０１に設けた取っ手３０１ａ，３０１ｂに、指Ｆｃ，Ｆｄを掛けてプリンタ本体３０１だけ運搬し、次に、オプション３０２を単体で運搬する。
【００９４】
このように、プリンタ本体３０１とオプション３０２とを別々に運搬することは重ねて同時に運搬する場合よりも運搬時の重量が軽いため、操作者にとって持ち運びやすいだけでなく、プリンタ本体３０１の落下等の危険も回避できて、安全である。特に、オプション３０２とプリンタ３０１の重量の合計が大きく、プリンタ本体３０１とオプション３０２を同時に運搬することが危険である場合に非常に有効である。
【００９５】
（第４実施形態のプリンタ）
第４実施形態のプリンタを図８（ａ），（ｂ）に基づいて説明する。
【００９６】
図８（ａ）は、下部筐体である例えばオプション４０２に上部筐体である例えばプリンタ本体４０１を搭載したときのプリンタ４００において、本実施形態に関係する要部のみを断面で示した図である。図８（ｂ）は、オプション４０２の要部のみを断面で示した図である。プリンタ本体４０１の構成は第１実施形態のプリンタ本体１０１とほぼ同じであり、取っ手４０１ａ，４０１ｂを形成してある。
【００９７】
本実施形態のプリンタ４００においても、遮蔽部材４１２の動作と、プリンタの設置、運搬等における効果とを説明する。
【００９８】
（スライド部材４１０、遮蔽部材４１２等の構成と動作）
オプション４０２には、側壁をへこまして形成した取っ手４０２ａ，４０２ｂを設けてある。遮蔽部材４１２は、取っ手４０２ａ，４０２ｂ内に、図８において、左右方向へ移動自在に取り付けられている。遮蔽部材４１２は、遮蔽部材４１２に設けたフック４１２ａとオプション４０２の内部に設けたフック４１３とに張り渡した引っ張りばね４１１に牽引されて、常に、内部に牽引されている。
【００９９】
スライド部材４１０は、オプション４０２の上面に形成した孔４０２ｈと、内部に設けた孔４０２ｇと嵌合して、オプション４０２に対して上下方向に移動自在に取り付けられて、自重によってその片側端部が遮蔽部材４１２の斜面４１２ｃに当接している。
【０１００】
オプション４０２にプリンタ本体４０１が搭載されていないとき、遮蔽部材４１２は、引っ張りばね４１１に牽引されて、その端部４１２ｂが壁４０２ｆに当接した位置で静止している。スライド部材４１０は、遮蔽部材４１２の斜面４１２ａにより最も突出した状態に押し上げられている。このとき、遮蔽部材４１２がオプション４０２の内部に進入した位置にいることにより、取っ手４０２ａ，４０２ｂが開放されている。このため，オプション４０２の下部に指Ｆａ，Ｆｂが入るスペースが確保される。
【０１０１】
一方、プリンタ本体４０１をオプション４０２に搭載すると、図８（ａ）に示すように、プリンタ本体４０１の下面によって、スライド部材４１０が押し下げられるとともに、遮蔽部材４１２が引っ張りばね４１１に抗して外側に押される。このとき、オプション４０２の下部には指Ｆａ，Ｆｂが入るスペースが無くなる。すなわち、取っ手４０２ａ，４０２ｂが遮蔽（閉鎖）される。
【０１０２】
以上のように、オプション４０２にプリンタ本体４０１が搭載された状態で、操作者はオプション４０２を持ち上げて運搬することができない。操作者は、必然的に、まず、プリンタ本体４０１に設けた取っ手４０１ａ，４０１ｂに指Ｆｃ，Ｆｄを掛けてプリンタ本体４０１だけを運搬し、次に、オプション４０２を単体で運搬する。オプション４０２を単体で運搬するときには、オプション４０２の下部に指Ｆａ、Ｆｂが入るだけのスペースがあるため、操作者は、容易、かつ安全にオプション４０２を運搬することができる。
【０１０３】
以上の構成において、作動体である例えばスライド部材４１０、開閉体である例えば遮蔽部材４１２、付勢手段である例えば引っ張りばね４１１等は、指掛け部である例えば取っ手４０２ａ，４０２ｂを開閉する取っ手開閉機構４２０を構成している。取っ手開閉機構４２０は、指掛け部開閉手段の一例である。
【０１０４】
また、孔４０２ｇ、スライド部材４１０、引っ張りばね４１１、遮蔽部材４１２、フック４１２ａ、遮蔽部材端部４１２ｂ等は、それぞれ２つ設けてある。
【０１０５】
以上のように、遮蔽部材４１２で取っ手４０２ａ，４０２ｂを開閉することによって、本実施形態のプリンタ４００においても、第３実施形態のプリンタ３００と同様な効果が得られる。
【０１０６】
（第５実施形態のプリンタ）
第５実施形態のプリンタを図９（ａ），（ｂ）に基づいて説明する。
【０１０７】
図９（ａ）は、下部筐体である例えばオプション５０２に上部筐体である例えばプリンタ本体５０１を搭載されたときのプリンタ５００において、本実施形態に関係する要部のみを断面で示した図である。図９（ｂ）は、オプション５０２の要部のみを断面で示した図である。プリンタ本体５０１の構成は第１実施形態のプリンタ本体１０１とほぼ同じであり、取っ手５０１ａ，５０１ｂを形成してある。
【０１０８】
本実施形態のプリンタ５００においても、遮蔽部材５１６の動作と、プリンタの設置、運搬等における効果とを説明する。
【０１０９】
まず、スライド部材５１４及び遮蔽部材５１６の構成と動作を図９に基づいて説明する。同図において、遮蔽部材５１６は回動中心５１６ｃを中心にしてオプション５０２に回動自在に取り付けられており、トーションばね５１５によって、常にＲ方向に付勢されている。スライド部材５１４は、オプション５０２の上面に設けた孔５０２ｈと内部に設けた孔５０２ｇと嵌合して、オプション５０２に対して上下方向に移動自在に取り付けられて、自重によってその片側端部５１４ａが遮蔽部材５１６に設けた円筒状の突起５１６ａに当接している。なお、トーションばねの代わりに、遮蔽部材５１６を上方へ持ち上げるように牽引する不図示の引っ張りばねを使用してもよい。
【０１１０】
オプション５０２にプリン本体５０１が搭載されていないとき、遮蔽部材５１６は、トーションばね５１５に牽引されて、その端部５１６ｂが突き当て面５１７に当接した位置で静止している。スライド部材５１４は、遮蔽部材５１６の突起５１６ａにより最も突出した状態に押し上げられている。このとき、遮蔽部材５１６が突き当て面５１７に当接することにより、取っ手５０２ａ，５０２ｂが開放されている。このため、オプション２の下部に指Ｆａ，Ｆｂが入るスペースが確保される。取っ手５０２ａ，５０２ｂは、オプション５０２の側壁にへこみを形成する凹壁５１８と、上方に傾動した遮蔽部材５１６とで形成されている。
【０１１１】
一方、プリンタ本体５０１をオプション５０２に搭載すると、図９（ａ）に示すように、プリンタ本体５０１の下面によって、スライド部材５１４が押し下げられるとともに、スライド部材端部５１４ａが突起５１６ａを押し下げ、結果として、遮蔽部材５１６がトーションばね５１５に抗してＳ方向に回動する。このとき、オプション５０２の下部には指Ｆａ，Ｆｂが入るスペースが無くなる。すなわち、取っ手４０２ａ，４０２ｂが遮蔽（閉鎖）される。
【０１１２】
以上のように、オプション５０２にプリンタ本体５０１が搭載された状態で、操作者はオプション５０２を持ち上げて運搬することができない。操作者は、必然的に、まず、プリンタ本体５０１に設けた取っ手５０１ａ，５０１ｂに指Ｆｃ，Ｆｄを掛けてプリンタ本体５０１だけを運搬し、次に、オプション５０２を単体で運搬する。オプション５０２を単体で運搬するときには、オプション５０２の下部に指Ｆａ、Ｆｂが入るだけのスペースがあるため、操作者は、容易、かつ安全にオプション５０２を運搬することができる。
【０１１３】
以上の構成において、作動体である例えばスライド部材５１４、開閉体である例えば遮蔽部材５１６、付勢手段である例えばトーションばね５１５等は、指掛け部である例えば取っ手５０２ａ，５０２ｂを開閉する取っ手開閉機構５２０を構成している。取っ手開閉機構５２０は、指掛け部開閉手段の一例である。
【０１１４】
また、スライド部材５１４、スライド部材端部５１４ａ、トーションばね５１５、遮蔽部材５１６、遮蔽部材５１６に設けた突起５１６ａ、遮蔽部材端部５１６ｂ、遮蔽部材５１６の回動中心５１６ｃ、オプション５０２内部に設けた突き当て面５１７、凹壁５１８等は、それぞれ２つ設けてある。
【０１１５】
以上のように、遮蔽部材５１６で取っ手５０２ａ，５０２ｂを開閉することによって、本実施形態のプリンタ５００においても第３実施形態のプリンタ３００と同様の効果が得られる。
【０１１６】
以上の実施形態のプリンタ１００，２００，３００，４００，５００を電子機器の一例としたとき、プリンタ本体１０１，２０１，３０１，４０１，５０１が電子機器の装置本体（又はオプション）の一例であり、オプション１０２，２０２，３０２，４０２，５０２が電子機器のオプション（又は装置本体）の一例である。
【０１１７】
電子機器としての効果は次のとおりである。
【０１１８】
電子機器の本体の下方に順次連結可能なオプションにおいて、装置本体とオプションを同時に運搬できないようにオプションに取っ手を設けない、若しくは取っ手を設けたとしても、装置本体に設けた取っ手よりも幅、高さ、奥行きのいずれかが小さい取っ手であり、かつオプションに装置本体が搭載されているか否かでオプションの下方に設けた脚の突出量を変化させることによって、オプションに搭載された装置本体を運搬するときには、操作者は必然的に装置本体とオプションを別々に運搬することになるため、同時に運搬することで起こりうる落下による装置本体の破損、操作者のけがを未然に防ぐだけでなく、オプション単体を運搬、設置する際には容易かつ安全に行うことが可能となる。
【０１１９】
電子機器の装置本体の下方に順次連結可能なオプションにおいて、オプションの取っ手に遮蔽部材を設け、オプションに装置本体を搭載すると装置本体に連動して遮蔽部材がオプションの取っ手を遮蔽し、装置本体を搭載していないときは、遮蔽部材が取っ手遮蔽位置から退避することによって、オプションに搭載された装置本体を運搬するときには、操作者は必然的に装置本体とオプションを別々に運搬することになるため、同時に運搬することで起こりうる落下による装置本体の破損、操作者のけが等を未然に防ぐだけでなく、オプション単体を運搬、設置する際には容易かつ安全に行うことが可能となる。
【０１２０】
【発明の効果】
本発明の筐体ユニットは、下部筐体からの載置部の突出量が、下部筐体に上部筐体を載置していないとき設置面と指掛け部との間に指が入る隙間が生じるだけの突出量に変化し、下部筐体に上部筐体を載置したとき設置面と指掛け部との間に指を入れることのできない突出量に変化するようになっているので、下部筐体に搭載された上部筐体を運搬するとき、操作者が必然的に上部筐体と下部筐体とを別々に運搬することになるため、同時に運搬することで起こりうる上部筐体の落下による上部筐体の破損、操作者のけがを未然に防ぐだけでなく、下部筐体を単体で運搬、設置するときには容易、かつ安全に行うことができる。
【０１２１】
本発明の筐体ユニットは、指掛け部開閉手段によって、下部筐体に上部筐体を載置していないとき指掛け部に指を掛けることができるように指掛け部を開放し、下部筐体に上部筐体を載置したとき指掛け部に指を掛けることができないように指掛け部を閉鎖するようになっているので、下部筐体に搭載された上部筐体を運搬するとき、操作者が必然的に上部筐体と下部筐体とを別々に運搬することになるため、同時に運搬することで起こりうる上部筐体の落下による上部筐体の破損、操作者のけがを未然に防ぐだけでなく、下部筐体を単体で運搬、設置するときには容易、かつ安全に行うことができる。
【図面の簡単な説明】
【図１】本発明の第１実施形態の筐体ユニットを筐体とする電子機器である例えば画像形成装置の一例であるプリンタのシート搬送方向に沿った断面図である。
【図２】図１のプリンタの部分断面図である。
（ａ）　オプションにプリンタ本体を載置した状態のプリンタにおいて、実施形態に関係する要部のみを断面で示した図である。
（ｂ）　オプションの要部のみを断面で示した図である。
【図３】図１のプリンタの外観図である。
（ａ）　オプションにプリンタ本体を載置した状態のプリンタを示す図である。
（ｂ）　オプション単体の図である。
【図４】図１乃至図３に示すプリンタのオプションに小さな取っ手を設けた場合のプリンタの外観斜視図である。
【図５】第２実施形態のプリンタの外観図である。
（ａ）　オプションにプリンタ本体を載置した状態のプリンタを示す図である。
（ｂ）　オプション単体の図である。
【図６】本発明の第３実施形態の筐体ユニットを筐体とする電子機器である例えば画像形成装置の一例であるプリンタの外観図である。
（ａ）　オプションにプリンタ本体を載置した状態のプリンタを示す図である。
（ｂ）　オプション単体の図である。
【図７】図６のプリンタの部分断面図である。
（ａ）　オプションにプリンタ本体を載置した状態のプリンタにおいて、実施形態に関係する要部のみを断面で示した図である。
（ｂ）　オプションの要部のみを断面で示した図である。
【図８】本発明の第４実施形態の筐体ユニットを筐体とする電子機器である例えば画像形成装置の一例であるプリンタの外観図である。
（ａ）　オプションにプリンタ本体を載置した状態のプリンタにおいて、実施形態に関係する要部のみを断面で示した図である。
（ｂ）　オプションの要部のみを断面で示した図である。
【図９】本発明の第５実施形態の筐体ユニットを筐体とする電子機器である例えば画像形成装置の一例であるプリンタの外観図である。
（ａ）　オプションにプリンタ本体を載置した状態のプリンタにおいて、実施形態に関係する要部のみを断面で示した図である。
（ｂ）　オプションの要部のみを断面で示した図である。
【図１０】従来の、下部筐体に相当するオプションに上部筐体に相当するプリンタ本体を搭載したプリンタの外観斜視図である。
【図１１】図１０に示す、従来のプリンタにおいて、シートに画像を形成する画像形成部を省略して、シートを画像形成部に供給する給送部を示した図である。
【符号の説明】
Ｆａ，Ｆｂ，Ｆｃ，Ｆｄ　　指
Ｇ　　　設置面
Ｈ１　　隙間
Ｈ２　　隙間
Ｗ１　　画像形成装置本体の重量
Ｗ２　　オプション単体の重量
Ｗ３　　ばねの付勢力の合計
Ｗ４　　脚の弾力の合計
１００　　　プリンタ（筐体ユニット、電子機器、画像形成装置）
１０１　　　プリンタ本体（上部筐体、装置本体又はオプション）
１０１ａ　　取っ手
１０１ｂ　　取っ手
１０２　　　オプション（下部筐体、オプション又は装置本体）
１０２ａ　　底部（指掛け部）
１０２ｂ　　小さな取っ手（補助指掛け部）
１０３　　　脚保持枠
１０４　　　脚（載置部）
１０５　　　弾性部材（付勢手段）
１０６ａ，１０６ｂ　　位置決めするためのボス
１１０　　　脚（弾性部材）
１１２　　　抜け止め機構
１５９　　　画像形成部（画像形成手段）
１８２　　　シート供給カセット（補助シート積載手段）
２００　　　プリンタ（筐体ユニット、電子機器、画像形成装置）
２０１　　　プリンタ本体（上部筐体、装置本体又はオプション）
２０１ａ　　取っ手
２０１ｂ　　取っ手
２０２　　　オプション（下部筐体、オプション又は装置本体）
２０２ａ　　底部（指掛け部）
２１０　　　脚（載置部）
２１１　　　突き当て突部（支持部）
３００　　　プリンタ（筐体ユニット、電子機器、画像形成装置）
３０１　　　プリンタ本体（上部筐体、装置本体又はオプション）
３０１ａ　　取っ手
３０１ｂ　　取っ手
３０２　　　オプション（下部筐体、オプション又は装置本体）
３０２ａ　　取っ手（指掛け部）
３０２ｂ　　取っ手（指掛け部）
３０４　　　スライド部材（作動体）
３０５　　　引っ張りばね（付勢手段）
３０６　　　遮蔽部材（開閉体）
３２０　　　取っ手開閉機構（指掛け部開閉手段）
４００　　　プリンタ（筐体ユニット、電子機器、画像形成装置）
４０１　　　プリンタ本体（上部筐体、装置本体又はオプション）
４０１ａ　　取っ手
４０１ｂ　　取っ手
４０２　　　オプション（下部筐体、オプション又は装置本体）
４０２ａ　　取っ手（指掛け部）
４０２ｂ　　取っ手（指掛け部）
４１０　　　スライド部材（作動体）
４１１　　　引っ張りばね（付勢手段）
４１２　　　遮蔽部材（開閉体）
４２０　　　取っ手開閉機構（指掛け部開閉手段）
５００　　　プリンタ（筐体ユニット、電子機器、画像形成装置）
５０１　　　プリンタ本体（上部筐体、装置本体又はオプション）
５０１ａ　　取っ手
５０１ｂ　　取っ手
５０２　　　オプション（下部筐体、オプション又は装置本体）
５０２ａ　　取っ手（指掛け部）
５０２ｂ　　取っ手（指掛け部）
５１４　　　スライド部材（作動体）
５１５　　　トーションばね（付勢手段）
５１６　　　遮蔽部材（開閉体）
５１６ｂ　　遮蔽部材端部
【図１】
2004082615.tif 000003
【図２】
2004082615.tif 000004
【図３】
2004082615.tif 000005
【図４】
2004082615.tif 000006
【図５】
2004082615.tif 000007
【図６】
2004082615.tif 000008
【図７】
2004082615.tif 000009
【図８】
2004082615.tif 000010
【図９】
2004082615.tif 000011
【図１０】
2004082615.tif 000012
【図１１】
2004082615.tif 000013